(57)【特許請求の範囲】
【請求項１】
個々の文書に対して、当該文書が取得された日付、文書作成者の人名、文書形式などの属性を付加する属性付加手段と、
前記属性付加手段によって属性が付加された文書を属性ごとに格納する文書格納手段と、
前記文書格納手段に格納されている文書の内容変更、編集、検索などの指示を入力する指示入力手段と、
前記指示入力手段によって前記文書格納手段に格納されている文書の内容変更や編集の指示が入力された場合、該当する文書の内容変更や編集を行う文書編集手段と、
前記文書編集手段によって内容変更や編集された文書に対して前記属性付加手段により新たに付加された属性の変更履歴、編集履歴を記憶する履歴記憶手段と、
前記履歴記憶手段が前記文書編集手段によって内容変更、編集された各文書の属性の変更履歴、編集履歴の時間差を属性間の関連性として記憶する関連性記憶手段と、
前記指示入力手段によって文書の検索の指示が入力された場合、前記文書格納手段に格納されている文書の分析を行う文書分析手段と、を備え、
前記文書分析手段は、前記関連性記憶手段に記憶されている内容変更、編集された各文書の属性の変更履歴、編集履歴の時間差に基づいて、文書の分析を行うことを特徴とする文書処理装置。
【請求項２】
前記文書分析手段による分析結果を表示する表示手段をさらに備え、
前記関連性記憶手段は関連性を加算または、逆算することで関連度に応じたランキングを検索結果として前記表示手段に表示することを特徴とする請求項１記載の文書処理装置。
【請求項３】
個々の文書に対して、当該文書が取得された日付、文書作成者の人名、文書形式などの属性を付加する文書属性付与部と、
属性が付加された文書を属性ごとに格納する文書属性蓄積部と、
文書の内容変更、編集、検索などの指示が入力される入力デバイスと、
文書の内容変更や編集を行う文書属性編集部と、
新たに付加された属性の変更履歴、編集履歴を記憶する文書属性編集履歴蓄積部と、
検索や分類などの処理を実行する分析処理実行部と、
から構成される文書処理装置において、
前記文書属性付与部が、個々の文書に対して、当該文書が取得された日付、文書作成者の人名、文書形式などの属性を付加する第１のステップと、
前記第１のステップで属性が付加された文書を属性ごとに前記文書属性蓄積部に格納する第２のステップと、
前記第２のステップで前記文書属性蓄積部に格納された文書の内容変更、編集、検索などの指示が前記入力デバイスに入力される第３のステップと、
前記第３のステップで前記文書属性蓄積部に格納されている文書の内容変更や編集の指示が前記入力デバイスに入力された場合、前記文書属性編集部が該当する文書の内容変更や編集を行う第４のステップと、
前記第４のステップによって内容変更や編集された文書に対して、前記第１のステップにより新たに付加された属性の変更履歴、編集履歴を前記文書属性編集履歴蓄積部に記憶する第５のステップと、
前記第５のステップが前記第４のステップによって内容変更、編集された各文書の属性の変更履歴、編集履歴の時間差を属性間の関連性として前記文書属性編集履歴蓄積部に記憶する第６のステップと、
前記第３のステップで文書の検索の指示が入力された場合、前記分析処理実行部が前記第２のステップで前記文書属性蓄積部に格納された文書の分析を行う第７のステップと、を備え、
前記第７のステップは、前記第６のステップで前記文書属性編集履歴蓄積部に記憶されている内容変更、編集された各文書の属性の変更履歴、編集履歴の時間差に基づいて、文書の分析を行うことを特徴とする文書処理方法。
【請求項４】
個々の文書に対して、前記文書が取得された日付、文書作成者の人名、文書形式などの属性を付加する属性付加機能と、
前記属性付加機能によって属性が付加された文書を属性ごとに格納する文書格納機能と、
前記文書格納機能に格納されている文書の内容変更、編集、検索などの指示を入力する指示入力機能と、
前記指示入力機能によって前記文書格納機能により格納されている文書の内容変更や編集の指示が入力された場合、該当する文書の内容変更や編集を行う文書編集機能と、
前記文書編集機能によって内容変更や編集された文書に対して前記属性付加機能により新たに付加された属性の変更履歴、編集履歴を記憶する履歴記憶機能と、
前記履歴記憶機能が前記文書編集機能によって内容変更、編集された各文書の属性の変更履歴、編集履歴の時間差を属性間の関連性として記憶する関連性記憶機能と、
前記指示入力機能によって文書の検索の指示が入力された場合、前記文書格納機能に格納されている文書の分析を行う文書分析機能と、がコンピュータに実現させるためのコンピュータ読み取り可能な文書処理プログラムに格納されており、
前記文書分析機能は、前記関連性記憶機能に記憶されている内容変更、編集された各文書の属性の変更履歴、編集履歴の時間差に基づいて、文書の分析を行うことを特徴とする文書処理プログラムが格納された記憶媒体。
【発明の詳細な説明】
【０００１】
【発明の属する技術分野】
本発明は、電子化された文書の属性を利用して検索や分類を行い、文書群の分析を実行して文書管理を行う文書処理装置、文書処理方法および文書処理プログラムが格納された記憶媒体に関する。
【０００２】
【従来の技術】
近年、電子化文書を管理するシステムがあるが、これらのシステムでは、文書名、作成日や更新日などの書誌情報を利用して文書群の管理、検索や分類などの文書群の分析を支援するようになっている。また、個々の文書にキーワードや文書内容の一部を抽出した情報を文書の書誌情報として利用し、文書群の分析を支援する方法もある。さらには、キーワード抽出や文書内容からの情報抽出を自動化して、システムへの文書登録の利便性を向上させる方法もある。
また、システムがあらかじめ用意した文書に付帯させる情報以外に、利用者が付帯させる情報を定義できるシステムがある。このようなシステムでは、属性の項目名称や項目の型を定義することが可能であり、文書登録時や文書更新時を含めた任意の時点で利用者が定義した項目の型に従い項目値を入力したり、自動で入力させたりすることができるようになっている。
さらに、これまでに述べた文書の書誌情報や文書付帯項目の複数を纏めて文書の属性として定義する方法も知られている。属性の名称を定義し、その属性に含まれる項目の名称や項目の型を複数定義して文書種として利用する方法である。属性内の項目の増減、項目の名称／型を編集することができたり、文書の登録や更新時に文書の属性を選択し、個々の項目の型に従った項目値を代入することができる。
【０００３】
以上のように、従来から様々な文書の書誌情報、文書属性を利用して文書群の検索を行う方法が利用されている。利用者は、書誌情報の値、文書属性の値を検索条件として指定して文書群からいくつかの文書を抽出して利用することができる。また、上述以外に文書の書誌情報の値、文書属性の値に基づいてシステムが分類を行い、文書群の分析を行う方法も知られている。
また、文書の新たな属性を定義する際に、既存の属性の一部（または全部）を利用して属性を引き継ぎ、その編集の履歴を残す文章処理装置も提案されている。この文章処理装置では、属性の編集履歴を利用して検索などを行うようになっている。具体的には、属性Ａの一部（または全部）を引き継いだ属性Ｂがある場合、属性Ｂを対象に検索条件が設定されたときに、属性Ａの文書群も検索する方法である。
【０００４】
【発明が解決しようとする課題】
しかしながら、上述の文章処理装置では、元の属性とその属性を引き継いだ属性間の関係が、関係が有る・無しでしか記述しておらず属性内容が具体的でなかった。また、Ａ属性を継承したＢ属性、Ｂ属性を継承したＣ属性があるときに、Ａ属性とＣ属性の関連性を考慮しての検索などが行えなかった。
また、上述の各従来方法では、利用者が定義する文書の属性の名称、属性に含まれる項目の名称、項目の型の変更などの文書属性の編集を行った場合に、その編集の前後で属性種が異なるため、旧属性種を指定して検索を行うと新属性種に対応した文書が検索できなかったり、編集の記録を利用者が管理したとしても検索条件の指定が煩雑になることがあった。また、システムが文書群の分類を行う際にもこのような編集の前後の関連性を考慮しないため、望む分類結果が得られない場合があった。
【０００５】
そこで、本発明の目的は、属性の名称、属性に含まれる項目の名称、属性に含まれる項目型の変更などの編集が行われた際の履歴を記録し、属性間の関連性継承の有無、時間的差異を考慮して文書群分析、検索、分類などの際に利用することができる文書処理装置、文書処理方法および文書処理プログラムが格納された記憶媒体を提供することを目的とする。
【０００６】
【課題を解決するための手段】
請求項１記載の発明では、個々の文書に対して、当該文書が取得された日付、文書作成者の人名、文書形式などの属性を付加する属性付加手段と、前記属性付加手段によって属性が付加された文書を属性ごとに格納する文書格納手段と、前記文書格納手段に格納されている文書の内容変更、編集、検索などの指示を入力する指示入力手段と、前記指示入力手段によって前記文書格納手段に格納されている文書の内容変更や編集の指示が入力された場合、該当する文書の内容変更や編集を行う文書編集手段と、前記文書編集手段によって内容変更や編集された文書に対して前記属性付加手段により新たに付加された属性の変更履歴、編集履歴を記憶する履歴記憶手段と、前記履歴記憶手段が前記文書編集手段によって内容変更、編集された各文書の属性の変更履歴、編集履歴の時間差を属性間の関連性として記憶する関連性記憶手段と、前記指示入力手段によって文書の検索の指示が入力された場合、前記文書格納手段に格納されている文書の分析を行う文書分析手段と、を備え、前記文書分析手段は、前記関連性記憶手段に記憶されている内容変更、編集された各文書の属性の変更履歴、編集履歴の時間差に基づいて、文書の分析を行うことにより、前記の目的を達成する。
請求項２記載の発明では、請求項１記載の発明において、前記文書分析手段による分析結果を表示する表示手段をさらに備え、前記関連性記憶手段は関連性を加算または、逆算することで関連度に応じたランキングを検索結果として前記表示手段に表示することにより、前記の目的を達成する。
【０００７】
請求項３記載の発明では、個々の文書に対して、当該文書が取得された日付、文書作成者の人名、文書形式などの属性を付加する文書属性付与部と、属性が付加された文書を属性ごとに格納する文書属性蓄積部と、文書の内容変更、編集、検索などの指示が入力される入力デバイスと、文書の内容変更や編集を行う文書属性編集部と、新たに付加された属性の変更履歴、編集履歴を記憶する文書属性編集履歴蓄積部と、検索や分類などの処理を実行する分析処理実行部と、から構成される文書処理装置において、前記文書属性付与部が、個々の文書に対して、当該文書が取得された日付、文書作成者の人名、文書形式などの属性を付加する第１のステップと、前記第１のステップで属性が付加された文書を属性ごとに前記文書属性蓄積部に格納する第２のステップと、前記第２のステップで前記文書属性蓄積部に格納された文書の内容変更、編集、検索などの指示が前記入力デバイスに入力される第３のステップと、前記第３のステップで前記文書属性蓄積部に格納されている文書の内容変更や編集の指示が前記入力デバイスに入力された場合、前記文書属性編集部が該当する文書の内容変更や編集を行う第４のステップと、前記第４のステップによって内容変更や編集された文書に対して、前記第１のステップにより新たに付加された属性の変更履歴、編集履歴を前記文書属性編集履歴蓄積部に記憶する第５のステップと、前記第５のステップが前記第４のステップによって内容変更、編集された各文書の属性の変更履歴、編集履歴の時間差を属性間の関連性として前記文書属性編集履歴蓄積部に記憶する第６のステップと、前記第３のステップで文書の検索の指示が入力された場合、前記分析処理実行部が前記第２のステップで前記文書属性蓄積部に格納された文書の分析を行う第７のステップと、を備え、前記第７のステップは、前記第６のステップで前記文書属性編集履歴蓄積部に記憶されている内容変更、編集された各文書の属性の変更履歴、編集履歴の時間差に基づいて、文書の分析を行うことにより、前記の目的を達成する。
【０００８】
請求項４記載の発明では、個々の文書に対して、前記文書が取得された日付、文書作成者の人名、文書形式などの属性を付加する属性付加機能と、前記属性付加機能によって属性が付加された文書を属性ごとに格納する文書格納機能と、前記文書格納機能に格納されている文書の内容変更、編集、検索などの指示を入力する指示入力機能と、前記指示入力機能によって前記文書格納機能により格納されている文書の内容変更や編集の指示が入力された場合、該当する文書の内容変更や編集を行う文書編集機能と、前記文書編集機能によって内容変更や編集された文書に対して前記属性付加機能により新たに付加された属性の変更履歴、編集履歴を記憶する履歴記憶機能と、前記履歴記憶機能が前記文書編集機能によって内容変更、編集された各文書の属性の変更履歴、編集履歴の時間差を属性間の関連性として記憶する関連性記憶機能と、前記指示入力機能によって文書の検索の指示が入力された場合、前記文書格納機能に格納されている文書の分析を行う文書分析機能と、がコンピュータに実現させるためのコンピュータ読み取り可能な文書処理プログラムに格納されており、前記文書分析機能は、前記関連性記憶機能に記憶されている内容変更、編集された各文書の属性の変更履歴、編集履歴の時間差に基づいて、文書の分析を行うことにより、前記の目的を達成する。
【０００９】
【発明の実施の形態】
以下、本発明の好適な実施の形態について図１ないし図１０を参照して詳細に説明する。
図１は、本実施の形態に係る文書処理装置の概略構成を示したブロック図である。文章処理システムは、図１に示したように、入力デバイス１、表示装置２、装置制御部３、文書属性付与部４、分析処理実行部５、文書登録部６、文書蓄積部７、文書属性編集部８、文書属性蓄積部９および文書属性編集履歴蓄積部１０を具備している。
文書登録部６は、スキャナ、カメラ、キーボードなどの入力デバイス１に接続されており、また図示しないネットワーク接続装置から構成され、文書処理装置のシステムへの入力を行う。
装置制御部３は、ＣＰＵ（中央処理装置）やメモリなどから構成され、入力された文書を文書蓄積部７に保管する。文書蓄積部７は、揮発性メモリ、ハードディスクまたはそれに類する外部記憶装置から構成される。
文書属性編集部８は、文書に付与する文書属性の名称、項目の名称や型などを定義し、定義した文書属性を文書属性蓄積部９に保存する。また、一度保管した文書属性を文書属性蓄積部９から取り出し、文書属性編集部８にて編集を行うことができる。
【００１０】
文書属性編集履歴蓄積部１０では、文書属性編集部８が実行する編集処理の履歴を記録する。文書属性付与部４は、文書蓄積部７から取り出した文書と文書属性蓄積部９から取り出した文書属性を対応づけさせ、属性に含まれる項目の値を代入することもできる。対応づけられた文書と属性は、文書蓄積部７に登録される。
分析処理実行部５は、検索や分類の条件の設定が行われた後に検索や分類などの処理を文書蓄積部７から文書群を取り出し、それらを参照することで実行する。実行した結果は表示装置２に出力されるようになっている。
入力デバイス１は、利用者が操作するキーボードなどのデバイスから構成され、文書登録、文書属性編集、文書属性付与、分析実行などの操作を指定することができる。また、利用者は文書の登録、属性の編集の結果を表示装置２にて確認することができる。図中省略してあるが、文書群の分析の結果は表示装置２に出力するだけでなくプリンタなどの出力装置にも出力するようにし、利用者が確認することができるようにしてもよい。
【００１１】
図２は、文書属性の一例を示した図である。文書属性の名称として任意の名前を定義することができ、図２では、一例として属性名称をａｂｃとする。属性には複数の項目を纏めて定義することができ、項目型の名称２０と、項目の値である項目型２１とを定義することができる。図２では、項目型２０として日付を指定する日付型、人名を指定する名前型、任意の文字列を指定する文字列型などが定義されている。図２の属性を文書属性蓄積部９に保管するようになっている。この保管した属性を文書属性蓄積部９から取り出し、文書属性編集部８で修正を加える。
【００１２】
図３は、図２の属性を文書属性編集部８で編集した例を示した図である。図３では一例として、文書属性編集部８によって属性の名称がａｂｃからｘｙｚに、項目型の名称２０の「文書印刷日」が「最終印刷日」に、「図面区別」の項目型の「文字列」が「数値」に変更された場合を表している。また、項目型の名称２０に「顧客コード」という新たな数値型の項目も追加されている。また、図示は省略するが、文書属性編集部８によって項目を削除することもできる。さらには、属性ａｂｃ自体を文書属性蓄積部９から削除することも可能である。
【００１３】
図４は、文書属性付与部４による属性付与の一例を示した図である。図４では一例として、文書登録部６で登録する文書、あるいは文書蓄積部７から取り出した文書である「いろは」に文書属性を対応させる場合について表している。属性ｘｙｚから属性ａｂｃに変更する場合、図示のように属性ａｂｃを選択した後（図４の斜線部分参照）、各々の項目の値を代入することができる。なお、図５は、図４の属性ａｂｃを選択した場合の項目値代入の一例を示した図である。これらの編集結果を文書蓄積部７に文書のコンテンツと対応させる形式で保管するようになっている。
【００１４】
図６は、文書属性編集履歴蓄積部１０のデータ形式の一例を示した図である。図６では一例として、１９８３年３月３１日に新たに定義された図２に示す文書属性ａｂｃが１９９６年７月２８日に図３に示したような属性ｘｙｚに示す編集を加えられた場合を示している。図中「←」は、編集が加えられなかった項目を示している。また、図中「×」は削除された項目を示している。文書属性編集履歴蓄積部１０では、各属性ごとに図６に示すようなデータ形式の編集履歴を保管している。なお、図６では属性の編集履歴と、属性の情報を同じデータ形式として示してあるが、他のデータへの参照ポインタを利用する手法を用いることで編集の履歴と属性情報を分けて、図１に示したように文書属性蓄積部９と文書属性編集履歴蓄積部１０に分けて情報を管理することもできる。
【００１５】
図７は、文書属性編集部８の編集の一例を示した図である。文書属性編集部８は、登録属性参照部８１と新規定義部８２を備えている。登録属性参照部８１は、既に文書属性蓄積部９に登録されている属性一覧を有し、新規定義部８２は、新たに定義する文書属性の編集結果を有している。ここでは、一例として新規定義部８２で属性ｎｅｗを定義している。新規定義部８２では、図２で説明したように一つ一つの項目型の名称、項目型を定義することもできる。さらに、登録属性参照部８１から属性の全体、または、それに含まれる項目の一部を選択して定義することもできる。なお、図７では登録属性参照部８１において属性ｘｙｚと属性ｇｈｉの全てを選択し、新規定義部８２に新たな属性ｎｅｗを定義した場合を示している。
【００１６】
図８は、属性の関係を示した図である。図７では示していないが、登録属性参照部８１に示された属性Ａや属性Ｂから、新規定義部８２で属性ａ、ｂ、ｃ、ｄを定義する場合に両者の関係として図８のような関係を定義することができる。図８中左から、属性Ａの全項目と新たに定義する項目を加えてａを定義する場合、属性Ａの項目の一部を選択してｂを定義した場合、属性Ａと属性Ｂの項目の和からｃを定義する場合、属性Ａと属性Ｂの項目の積からＤを定義する場合を示している。なお、図７および図８では示していないが、登録属性参照部８１に示された三つ以上の属性を利用して新たな属性を定義することもできる。
【００１７】
図９は、文書属性編集履歴蓄積部１０のデータ形式の変形例を示した図である。なお、図９では一例として、１９９９／８／１に新規定義された属性ａｂｃが示されている。この属性ａｂｃが図７の登録属性参照部８１に示されており、新たに定義する属性が属性ｄｅｆであったとして説明する。この場合、属性ａｂｃの項目の一部を属性ｄｅｆの項目として利用したとき、属性ｄｅｆの文書属性編集履歴蓄積部１０のデータは、属性ａｂｃの項目印刷日を継承したことを示している（１−▲１▼）が属性ｄｅｆの最初の項目のｆｒｏｍ行に履歴として記録される。図９の例では、新規に項目「承認番号」を定義している。図９の項目管理番号（Ｎｏ．）１、２、３、・・ｎ、属性管理番号▲１▼、▲２▼、・・、ｍは、文書属性編集履歴蓄積部１０内でユニークに管理された番号である。
【００１８】
ここで、図７の登録属性参照部８１に図９の属性ａｂｃ、属性ｄｅｆが提示されており、新たに属性ｇｈｉを定義したとする。属性ｇｈｉでは、属性ｄｅｆの項目「印刷日」、属性ｄｅｆの項目「承認番号」を継承して新たな属性を定義している。この場合、属性ｇｈｉの項目「印刷日」は、属性ｄｅｆから継承しているが、その項目は属性ａｂｃから継承しているため、属性ａｂｃの項目「印刷日」を継承したとしても属性ｇｈｉ型としては同じ定義となるが、属性ｇｈｉを定義する際にどの属性の項目に着目してそれを継承したかがこのように文書属性編集履歴蓄積部１０に記録することができる。
【００１９】
図１０は、分析処理実行部５における文書群分析処理手順を示したフローチャートである。
まず、利用者が入力デバイス１などによって検索条件を指定すると（ステップ１２１）、分析処理実行部５は、指定された検索条件に文書属性や属性の項目が含まれているかどうかを調べる（ステップ１２２）。文書属性や属性の項目が含まれている場合（ステップ１２２；Ｙ）、文書属性蓄積部９と文書属性編集履歴蓄積部１０内のデータを参照し（ステップ１２３）、指定された属性や項目の編集履歴を検索する。指定された条件に編集履歴がある場合（ステップ１２４；Ｙ）、該当する属性、項目も検索条件に含め（ステップ１２５）、検索を実行して検索結果を表示する（ステップ１２６〜１２７）。
【００２０】
例えば、図９の属性ｇｈｉの項目「印刷日」が検索条件と指定され、“印刷日が１９９９／１２／３〜１９９９／１２／３１の文書”などの検索が実行された場合（ステップ１２１、ステップ１２２；Ｙ）、文書属性編集履歴蓄積部１０を参照し、属性ｇｈｉの項目「印刷日」のデータを参照する（ステップ１２３）。この項目が項目ｄｅｆから継承されたこと、さらにそれは項目ａｂｃから継承されたことが文書属性編集履歴蓄積部１０から抽出できた場合（ステップ１２４；Ｙ）、属性ｇｈｉの項目「印刷日」と属性ｄｅｆ、属性ａｂｃのそれらの関連性の定義の一例として、直接継承した項目は距離を１、さらに継承された項目間は距離を２としておく。このように、項目間の関連性は距離が近いほど強いということにして判断してもよいし、その逆数を用いることで判断するようにしてもよい。抽出された関連性も利用者が指定した検索条件に含め（ステップ１２５）、検索を実行して検索結果を表示する（ステップ１２６〜１２７）。
【００２１】
項目ｄｅｆと項目ａｂｃを検索対象として拡張し、属性ａｂｃの文書が検索結果として得られた場合、検索結果に関連度１／２を乗じて検索のランキングとして、分析結果を表示装置２に表示することで、拡張して検索した文書群の関連度を示すことができる。また、検索条件として複数の項目が指定された場合も関連度を加算することで検索ランキングに利用することができる。属性編集の時間差を項目間の関連性として定義し、検索結果にランキングを表示することができる。例えば、編集の時間差の逆数を関連度として乗じて結果表示時にランキングとして表示するなどしてもよい。本実施の形態では、属性の編集日時が文書属性編集履歴蓄積部１０に記録されている場合について説明したが、個々の項目の編集日時を記録して関連度に利用するようにしてもよい。
また、距離１と距離２の両者を項目間の関連度として定義し、項目間の距離と時差の両者を考慮して検索結果を表示するようにしてもよい。
【００２２】
【発明の効果】
請求項１記載の発明では、関連性記憶手段によって内容変更、編集された文書の時間的な属性の変更履歴、編集履歴の関連性をさらに記憶し、履歴記憶手段に記憶されている文書の属性の関連性を時間差により分析するので、編集前後の属性が条件として指定されて検索が行われた場合に、検索対象を拡張して検索を行うことができる。
請求項２記載の発明では、関連性記憶手段によって項目間の関連度を考慮して検索ランキングに利用し、検索結果として表示することができるので、項目間の関連性を判断することができる。
【００２３】
請求項３記載の発明では、第６のステップによって内容変更、編集された文書の時間的な属性の変更履歴、編集履歴の関連性をさらに記憶し、第５のステップに記憶されている文書の属性の関連性を時間差により分析するので、編集前後の属性が条件として指定されて検索が行われた場合に、検索対象を拡張して検索を行うことができる。
請求項４記載の発明では、関連性記憶機能によって内容変更、編集された文書の時間的な属性の変更履歴、編集履歴の関連性をさらに記憶し、履歴記憶機能に記憶されている文書の属性の関連性を時間差により分析するので、編集前後の属性が条件として指定されて検索が行われた場合に、検索対象を拡張して検索を行うことができる。
【図面の簡単な説明】
【図１】本実施の形態に係る文書処理装置の概略構成を示したブロック図である。
【図２】文書属性の一例を示した図である。
【図３】図２の属性を文書属性編集部で編集した例を示した図である。
【図４】文書属性付与部による属性付与の一例を示した図である。
【図５】図４の属性ａｂｃを選択した場合の項目値代入の一例を示した図である。
【図６】文書属性編集履歴蓄積部のデータ形式の一例を示した図である。
【図７】文書属性編集部の編集の一例を示した図である。
【図８】属性の関係を示した図である。
【図９】文書属性編集蓄積履歴部のデータ形式の変形例を示した図である。
【図１０】分析処理実行部における文書群分析処理手順を示したフローチャートである。
【符号の説明】
１      入力デバイス
２      表示装置
３      装置制御部
４      文書属性付与部
５      分析処理実行部
６      文書登録部
７      文書蓄積部
８      文書属性編集部
９      文書属性蓄積部
１０    文書属性編集履歴蓄積部
【図１】
0003933407.tif 000002
【図２】
0003933407.tif 000003
【図３】
0003933407.tif 000004
【図４】
0003933407.tif 000005
【図５】
0003933407.tif 000006
【図６】
0003933407.tif 000007
【図７】
0003933407.tif 000008
【図８】
0003933407.tif 000009
【図９】
0003933407.tif 000010
【図１０】
0003933407.tif 000011